(57)【要約】      （修正有）【課題】空間制限を受けず、角度調整可能な多機能折り畳みテーブルの構造を提供する。【解決手段】テーブル面２０の底面で下部支柱１０に軸接続によって設置された枢軸パーツ２３に、半円型のカーブ型導入溝及びその下縁に向かって延びた複数の固定溝２３が設置され、下部支柱１０の枢軸ジョイント１６に挿入設置されるレバー制御バー１７の相対関係の変化によってそのテーブル面２０を正、反方向の複数の傾斜角度に調整する。【選択図】図１
0003157652.tif 000002
【実用新案登録請求の範囲】
【請求項１】
縦パイプと伸縮パイプとの組み合わせを利用した構成による昇降調整が可能な下部支柱、前記伸縮パイプの先端部に設置され外側片及び内側片を有する枢軸ジョイント、軸ねじ、テーブル面、及び、前記テーブル面底部に設置された枢軸パーツを備え、前記軸ねじが前記枢軸ジョイント及び前記枢軸パーツの対応する位置に設置された第一枢軸穴及び第二枢軸穴を通過することにより、前記テーブル面と前記下部支柱とが回転可能に接続する多機能折り畳みテーブルであって、
前記下部支柱の前記伸縮パイプの先端部の前記枢軸ジョイントの前記外側片に縦向きの長形穴が設置され、該長形穴に対応する軸穴が前記内側片に設置され、
同時に前記テーブル面底部の前記枢軸パーツの前記第二枢軸穴の下部に半円に近いカーブ型導入溝が設置され、前記カーブ型導入溝は円の下半分の形状を呈し、前記カーブ型導入溝下縁には多段の固定溝が延設され、
さらに、別に設置されるレバー制御バーは、前記枢軸パーツの前記カーブ型導入溝及び前記枢軸ジョイントの前記外側片の前記長形穴を通過し、前記レバー制御バーの他端は、前記枢軸ジョイントの前記内側片の前記軸穴に軸接続によって挿入され、
同時に前記レバー制御バーの中段と前記伸縮パイプ上段に設置された穴との間に引きばねが引っ掛けて設置され、
前記引きばねが前記レバー制御バーを引っ張ることにより、前記レバー制御バーが前記枢軸パーツ下縁に延設された前記固定溝内にはまり込んで固定され、前記テーブル面と前記下部支柱との相対安定が維持され、前記レバー制御バーが上に撥ね上がって前記固定溝から離脱することにより、前記テーブル面の正、反方向の傾斜角度の調整が可能であることを特徴とする多機能折り畳みテーブル。
【請求項２】
前記縦パイプ先端部にクイック着脱可能な締めカバーが設置されることで、前記縦パイプと前記伸縮パイプとの相対関係に対してスピーディーに締めて固定または調整が可能なことを特徴とする請求項１に記載の多機能折り畳みテーブル。
【請求項３】
前記縦パイプ上段の管壁において、内壁面の内側にくぼんだ位置に固定導入突起を形成し、同時に前記伸縮パイプの一側に導入溝が設置され、前記導入突起及び前記導入溝によって、前記伸縮パイプに対応する縦パイプを縦向きに伸縮させる導入機能を持たせることで、前記伸縮パイプが回転するのを回避することを特徴とする請求項１に記載の多機能折り畳みテーブル。
【請求項４】
前記縦パイプ上段の一側に固定穴が設置されて、前記伸縮パイプ下段の対応する側にあらかじめ固定突起が設置されることで、前記伸縮パイプが極限まで引っ張られた時、その弾力性を有する前記固定突起と前記縦パイプの前記固定穴がかみ合うことで固定されて、前記伸縮パイプが完全に離脱するのを回避することを特徴とする請求項１に記載の多機能折り畳みテーブル。
【請求項５】
前記枢軸ジョイント底部に貫通穴が形成されることと前記伸縮パイプ内部が貫通状であることで、前記レバー制御バーに前記引きばねが前記貫通穴を通過して引っかけられると同時に、前記伸縮パイプ上段に設置される穴に引っ掛けられることが可能であることを特徴とする請求項１に記載の多機能折り畳みテーブル。
【請求項６】
エの字型のベースをさらに備え、
前記縦パイプはエの字型の前記ベースの≡ステムの一端にはめ込まれ、エの字型の前記ベース底部にキャスターが設置されることを特徴とする請求項１に記載の多機能折り畳みテーブル。
【請求項７】
前記テーブル面は、その周囲にフレーム支柱及び化粧フレームが設置され、さらに、前記化粧フレームの高度は前記テーブル面よりやや突出することで、前記テーブル面が傾斜した時設置物を固定することを特徴とする請求項１に記載の多機能折り畳みテーブル。
【請求項８】
ホワイトボード掲示板として使用可能であることを特徴とする請求項１に記載の多機能折り畳みテーブル。
【請求項９】
マグネット式掲示板として使用可能であることを特徴とする請求項１に記載の多機能折り畳みテーブル。
【考案の詳細な説明】
【技術分野】
【０００１】
本考案は多機能折り畳みテーブルに関し、詳しくは、使用空間の制限を受けない多機能折り畳みテーブルに関する。
【背景技術】
【０００２】
一般に、ベッド上での食事、読書、書き物、パソコン操作等の用途には多機能型昇降テーブルが使用されている。その構造設計は、通常、高さが調整できるコの字型の支柱ステムが設置され、その下端の水平の下部ステムにキャスターが設置されることにより移動させる機能を提供する。そして、その上端の水平テーブル面を支える支柱が、所定サイズのテーブルに結合され、前記テーブル面を利用して、食器、書籍、紙またはコンピューター等の物品を置き、必要時には、さらに、支柱ステム側面に中棚が追加設置されて、物品の収納機能を持たせる。このようにして、このタイプの多機能昇降テーブルの基本機能構造が構成される。
【０００３】
このタイプの多機能昇降テーブルは、構造設計上、ベッドの高さ及び使用者の座る時の姿勢、体型に応じて、高度を調整する機能を有することにより、テーブル面を必要な高さに調整することが可能である。しかしながら、そのテーブル面とテーブルを支える支柱ステムの組み立て固定設計において、テーブル面は、ただ水平形態を呈するのみで、物品を平らに置くことはできるものの、特殊な使用状況のニーズ（例えば、読書、コンピューター作業等）において、そのテーブル面の角度調整ができないため、手で物品を持って角度を変えるか、体の姿勢を変えることでそのニーズに対応しなければならない。しかしながら、上述のように、使いやすくするために、手で持ったり、体の姿勢を変えたりする方式は、決して理想的だとは言えず、時間が長くなると、手や体の不快感を覚え、疲れが生じる。
【０００４】
そして、そのテーブル面に単一方向の角度調整機能を提供するだけでは、昇降テーブルがベッドが左右の異なる側の壁際に配置されて使用する場合に、その角度の傾斜方向も異なり、そのテーブル面及び支柱ステムの結合関係に不都合が発生し、使用上の不便を生じる。
さらに、このタイプの多機能昇降テーブルは、使用の際に空間的な制限を受ける上、その調整できる角度にも制限があって、実用性を鑑みた場合不便が生じる。
【考案の概要】
【考案が解決しようとする課題】
【０００５】
本考案は、従来の多機能昇降テーブルの問題を解決し、空間の制限を受けず、角度の調整が可能な多機能折り畳みテーブルを提供することを目的とする。
すなわち、テーブル面を正、反方向の複数の傾斜角度に調整する機能を有することにより、異なるニーズ及び空間上の条件に対応することが可能であり、さらに、テーブル面が両方向の傾斜角度機能を有することで、テーブル面と下部支柱の組み合わせ関係を変更する必要がなく、ただちに使用者の利き手や昇降テーブルが左寄り設置か右寄り設置かに対応する実用性を有する多機能折り畳みテーブルを提供することを目的とする。
【課題を解決するための手段】
【０００６】
上記目的を達成するため、本考案に係る多機能折り畳みテーブルは、テーブル面のベースと折り畳み昇降テーブルの下部支柱に軸接続によって設置された枢軸パーツに、半円型のカーブ型導入溝及びその下縁に向かって延設された複数の固定溝が設置され、下部支柱の枢軸ジョイントに挿入設置されるレバー制御バーの相対関係の変化によってそのテーブル面を正、反方向の複数の傾斜角度に調整する。したがって、使用者の利き手によって生じる異なるニーズや、ベッドの配置によって発生した左寄りか右寄りかの使用型態にも直接対応できるため、従来の技術による実施製品のように、テーブル面や下部支柱の組み合わせ関係を変更する必要がなく、使用空間の制限を受けない。
【考案の効果】
【０００７】
本考案の多機能折り畳みテーブル構造によると、異なるニーズ及び空間上の条件に対応することが可能である上、ベッドの配置によって発生した左寄りか右寄りかの使用型態にも直接対応できるため、使用空間の制限を受けることがない。
【図面の簡単な説明】
【０００８】
【図１】本考案の一実施形態による多機能折り畳みテーブルを示す斜視図である。
【図２】本考案の一実施形態による多機能折り畳みテーブルの一部分を示す説明図である。
【図３】本考案の一実施形態による多機能折り畳みテーブルを示す説明図である。
【図４】本考案の一実施形態による多機能折り畳みテーブルを示す斜視図である。
【図５】本考案の一実施形態による多機能折り畳みテーブルの一部分の構造を示す断面図である。
【図６】本考案の一実施形態による多機能折り畳みテーブルにおけるテーブル面の調整時の状態を示す模式図である。
【図７】本考案の一実施形態による多機能折り畳みテーブルにおける他方向のテーブル面の調整時の状態を示す模式図である。
【図８】本考案の一実施形態による多機能折り畳みテーブルにおけるテーブル部分の構造を示す断面図である。
【図９】本考案の一実施形態による多機能折り畳みテーブルの使用状態を説明する模式図である。
【図１０】本考案の一実施形態による多機能折り畳みテーブルをホワイトボードとして使用した状態を示す模式図である。
【図１１】本考案の一実施形態による多機能折り畳みテーブルをマグネットボードとして使用した状態を示す模式図である。
【考案を実施するための形態】
【０００９】
（一実施形態）
以下に、図を参照しながら、本考案の好適な実施形態における構造、技術手段及び機能を説明する。
本考案の一実施形態による多機能折り畳みテーブルは、主に下部支柱１０とテーブル面２０とを備える。
【００１０】
このうち、下部支柱１０はエの字型のベース１１を有する。エの字型のベース１１の底部にはキャスター１２が設置されることで移動機能を有する。エの字型のベース１１の横ステム一端には縦パイプ１３が設置される。縦パイプ１３の先端にはクイック離脱可能な締めカバー１４がはめ込まれる。同時に、縦パイプ１３の先端に近いパイプ内壁面の所定の位置に、内側にくぼんだ固定導入突起１３１を有することで、伸縮パイプ１５の一側に設置された導入溝１５１に対応して、伸縮パイプ１５に対応する縦パイプ１３を縦向きに伸縮させる導入機能を形成し、伸縮パイプ１５が回転するのを回避する。締めカバー１４によって、伸縮パイプ１５と縦パイプ１３のはめ込み作業がスムーズに行われ、しっかりと固定される。伸縮パイプ１５が一番上まで伸ばされたとき、その下端にあらかじめ設置された弾力性を有する固定突起１５２が、縦パイプ１３の上端の固定穴１３２に対応して、しっかりとした固定関係が形成されるため、伸縮パイプ１５が離脱することが回避される。伸縮パイプ１５の先端には枢軸ジョイント１６が結合されることで、テーブル面２０が設置される。枢軸ジョイント１６の底部は、貫通穴１６１によって伸縮パイプ１５が貫通する。
【００１１】
テーブル面２０は、その周囲が化粧フレーム２１で囲まれる。化粧フレーム２１の高度はテーブル面２０よりやや突出しており、テーブル面２０が傾斜しても、設置物３０を固定して移動しない機能を有する。さらに、テーブル面２０の底部には、やや側面に偏った位置にＴ型のフレーム支柱２２を有する。フレーム支柱２２の外側下縁には冂型の枢軸パーツ２３が設置される。枢軸パーツ２３の内径は、ちょうど下部支柱１０の伸縮パイプ１５の枢軸ジョイント１６の外径に対応する。軸ねじ２４によって、枢軸ジョイント１６と枢軸パーツ２３とにあらかじめ設置された枢軸穴１６２及び枢軸穴２３１を通過させ、ねじ２４１を組み合わせて、他方から軸ねじ２４によって締めて結合して、両者の軸接続による組立が完了し、テーブル面２０が軸接続による回転傾斜調整機能を有する。
【００１２】
さらに、テーブル面２０の傾斜角度を安定させるため、下部支柱１０の伸縮パイプ１５の枢軸ジョイント１６の外側片の枢軸穴１６２の下部に、長形穴１６３が設置される。内側片には対応する軸穴１６４が設置される。同時に、テーブル面２０の底部のフレーム支柱２２の枢軸パーツ２３の外側片は広い面積を有し、その枢軸穴２３１の下部に、ほぼ半円型のカーブ型導入溝２３２を有する。カーブ型導入溝２３２の下縁には複数の固定溝２３３が延びており、レバー制御バー１７は、枢軸パーツ２３のカーブ型導入溝２３２及び枢軸ジョイント１６の外側片の長形穴１６３を通過した後、他端を枢軸ジョイント１６の内側片の軸穴１６４上に軸接続させて、同時にレバー制御バー１７の中段と伸縮パイプ１５の上段の位置にある導入溝１５１内の穴との間に引きばね１８が引っ掛けて設置される。引きばね１８はレバー制御バー１７に対して引っ張る作用を施し、レバー制御バー１７を下に引き、枢軸パーツ２３のカーブ型導入溝２３２の下縁から延びている固定溝２３３内に固定して、テーブル面２０と下部支柱１０との相対関係を安定して維持する。
【００１３】
テーブル面２０の傾斜角度を調整する場合は、レバー制御バー１７を上に上げるだけで、レバー制御バー１７を枢軸パーツ２３の固定溝２３３から離脱させることができる。同時に、引きばね１８を引く。この時、必要に応じてテーブル面２０の正、反のいかなる方向の傾斜角度でもテーブル面２０が必要とする角度にし、レバー制御バー１７を上に撥ね上げる力を緩めるだけで、引きばね１８の元に戻る時の引く作用によって、レバー制御バー１７を、再び固定溝２３３に固定してはめ込み、テーブル面２０の固定作用を得ることができる。これにより、異なるニーズに対しフレキシブルに複数の角度調整機能を提供する。
【００１４】
また、テーブル面２０は、傾斜角度調整の際に、そのカーブ型導入溝２３２のほぼ半円型の円下半分の形状を持つ設計により、その下縁の複数の固定溝２３３を組み合わせることで、そのテーブル面２０が正、反の両方向の複数の角度調整機能を有することが可能である。したがって、実際の必要性に応じて臨機応変な調整が可能な上、ベッドの配置または個人の利き手による制限を受けず、テーブル面２０と下部支柱１０の組み合わせ関係を変更する必要がないので、直接折り畳みテーブルを必要に応じて左寄りにも右寄りにも設置することができ、使用上の利便性が高い。つまり、テーブル面の設置関係を変更することで生じる手間と不便さを排除し、同時に、使用場所及び空間面での制限を受けることがない。
【００１５】
また、そのテーブル面２０の枢軸パーツ２３の半円のカーブ型導入溝２３２の設計により、テーブル面２０の調整の際に垂直に近い形態となり、ホワイトボード掲示板として使用することも可能である（図１０参照）。その上に文字を書いたり、テーブル面２０にマグネット効果を持たせて、文書や公告等を貼り付けることも可能である（図１１参照）。したがって、本考案の一実施形態による多機能折り畳みテーブルはベッドサイドに使用するだけでなく、他の異なる使用法も可能なフレキシブルな多機能性を有する。
【００１６】
このように、本考案の多機能折り畳みテーブルは、ベッドサイドで使用して、食事、読書、書き物、コンピューター操作等に用いる外、ホワイトボード、掲示板等の多用途機能を有する。そのテーブル面の高さの昇降調整機能を有する外、そのテーブル面と下部支柱の軸接続による組み立て関係において、レバー制御バーと枢軸パーツのカーブ型導入溝及びその下縁に延びた複数の固定溝を組み合わせた設計により、テーブル面の正、反両方向の多種の傾斜角度による調整機能によって、異なる使用上の必要性及び空間条件に応じてテーブル面の傾斜角度を臨機応変に調整できるため、高い必要性を提供して、従来の技術を実施した製品の欠点を解決する。
【符号の説明】
【００１７】
１０：下部支柱、１１：ベース、１２：キャスター、１３：縦パイプ、１３１：固定導入突起、１３２：固定穴、１４：締めカバー、１５：伸縮パイプ、１５１：導入溝、１５２：固定突起、１５３：穴、１６：枢軸ジョイント、１６１：貫通穴、１６２：枢軸穴、１６３：長形穴、１６４：軸穴、１７：レバー制御バー、１８：引きばね、２０：テーブル面、２１：化粧フレーム、２２：フレーム支柱、２３：枢軸パーツ、２３１：枢軸穴、２３２：カーブ型導入溝、２３３：固定溝、２４：軸ねじ、２４１：ねじ、３０：設置物。
【図１】
0003157652.tif 000003
【図２】
0003157652.tif 000004
【図３】
0003157652.tif 000005
【図４】
0003157652.tif 000006
【図５】
0003157652.tif 000007
【図６】
0003157652.tif 000008
【図７】
0003157652.tif 000009
【図８】
0003157652.tif 000010
【図９】
0003157652.tif 000011
【図１０】
0003157652.tif 000012
【図１１】
0003157652.tif 000013